(57)【特許請求の範囲】
【請求項１】
１層の柱部と１つの柱梁仕口部とを１階層として、上方に向かって第１階層、第２階層および第３階層からなる３階層分を一単位として柱を構築するために、架構の高さ方向に交互に設けられる３層柱ユニットおよび１層用外殻ＰＣａ柱部材、並びに梁を構築するために、該柱梁仕口部に接合される２連ＰＣａ梁ユニットおよびＰＣａ梁部材を備え、これら３層柱ユニット、１層用外殻ＰＣａ柱部材、２連ＰＣａ梁ユニットおよびＰＣａ梁部材が現場打ちコンクリートで一体化されるＲＣ造柱・梁架構であって、
上記３層柱ユニットは、第１階層柱部と第２階層柱部との間に第１階層柱梁仕口部を備え、かつ該第１階層柱梁仕口部に、これを貫通して外方へ突出する貫通梁主筋が配筋され、柱建て込み位置に設けられる２層用外殻ＰＣａ柱部材と、該２層用外殻ＰＣａ柱部材に組み込まれ、柱建て込み位置の既設の柱主筋と接合されて当該２層用外殻ＰＣａ柱部材から上方へ１階層分以上突出される柱主筋とから構成され、
上記１層用外殻ＰＣａ柱部材は、上記２層用外殻ＰＣａ柱部材上に形成される第２階層柱梁仕口部上に、当該第２階層柱梁仕口部から突出する上記柱主筋が挿通されつつ設けられ、かつその上に第３階層柱梁仕口部が形成される第３階層柱部を形成し、
さらに上記３層柱ユニットは、これら３層柱ユニットおよび１層用外殻ＰＣａ柱部材で構成される第１〜第３階層が各階それぞれについて、縦横に設定される柱建て込み位置の横方向に沿って、第１階層の隣りに第３階層が位置し、第３階層の隣りに第２階層が位置し、第２階層の隣りに第１階層が位置して循環し、かつ縦方向に沿って、第１階層の隣りに第２階層が位置し、第２階層の隣りに第３階層が位置し、第３階層の隣りに第１階層が位置して循環するように、建て込み階を異ならせて設けられ、
上記２連ＰＣａ梁ユニットは、上記第３階層柱梁仕口部を貫通する通し梁主筋を介して一対のＰＣａ梁部を連結して構成され、一方のＰＣａ梁部が隣接する第１階層の上記第１階層柱梁仕口部に接合され、かつ他方のＰＣａ梁部が隣接する第２階層の上記第２階層柱梁仕口部に接合され、
上記ＰＣａ梁部材は、上記２連ＰＣａ梁ユニットが設けられない残余の上記柱梁仕口部間に設けられてこれら柱梁仕口部に接合される
ことを特徴とするＲＣ造柱・梁架構。
【請求項２】
前記２連ＰＣａ梁ユニットの一方のＰＣａ梁部は、前記第１階層柱梁仕口部の前記貫通梁主筋と接合される梁主筋を有して短尺に形成され、他方のＰＣａ梁部は、前記第２階層柱梁仕口部に配筋される梁主筋を有して長尺に形成されることを特徴とする請求項１に記載のＲＣ造柱・梁架構。
【請求項３】
前記ＰＣａ梁部材として、短尺ＰＣａ梁部材および長尺ＰＣａ梁部材を備え、上記短尺ＰＣａ梁部材は、前記第１階層柱梁仕口部の前記貫通梁主筋と接合される梁主筋を有し、前記長尺ＰＣａ梁部材は、前記第２および第３階層柱梁仕口部に配筋される梁主筋を有することを特徴とする請求項１または２に記載のＲＣ造柱・梁架構。
【請求項４】
請求項１に記載のＲＣ造柱・梁架構を構築する方法であって、
前記３層柱ユニット、前記１層用外殻ＰＣａ柱部材、前記２連ＰＣａ梁ユニットおよび前記ＰＣａ梁部材を用い、
これら３層柱ユニットおよび１層用外殻ＰＣａ柱部材で構成される第１〜第３階層が各施工階それぞれについて、縦横に設定される柱建て込み位置の横方向に沿って、第１階層の隣りに第３階層が位置し、第３階層の隣りに第２階層が位置し、第２階層の隣りに第１階層が位置して循環し、かつ縦方向に沿って、第１階層の隣りに第２階層が位置し、第２階層の隣りに第３階層が位置し、第３階層の隣りに第１階層が位置して循環するように、上記３層柱ユニットの建て込み階を異ならせて、かつ第１階層を構築する建て込みでは、該３層柱ユニットを、その前記柱主筋を柱建て込み位置に突設される既設の柱主筋と接合して前記２層用外殻ＰＣａ柱部材から上方へ１階層分以上突出させた状態にして建て込んで、施工階初期状態を形成するステップと、
第３階層の上記１層用外殻ＰＣａ柱部材を中央にして３つ並べて建て込んだ上記３層柱ユニットの組に対して上記２連ＰＣａ梁ユニットを建て込んで、その前記通し梁主筋を該１層用外殻ＰＣａ柱部材上の第３階層柱梁仕口部位置に配筋し、前記一方のＰＣａ梁部の梁主筋を隣接する上記２層用外殻ＰＣａ柱部材の前記第１階層柱梁仕口部の前記貫通梁主筋に接合し、かつ前記他方のＰＣａ梁部の梁主筋を隣接する該２層用外殻ＰＣａ柱部材上の第２階層柱梁仕口部位置に配筋するステップと、
上記組以外で、互いに隣接する一対の階層の上記第１階層柱梁仕口部位置と第２階層柱梁仕口部位置との間、互いに隣接する一対の階層の上記第１階層柱梁仕口部位置と第３階層柱梁仕口部位置との間、並びに互いに隣接する一対の階層の第２階層柱梁仕口部位置と第３階層柱梁仕口部位置との間にそれぞれ上記ＰＣａ梁部材を建て込んで、それらの梁主筋を、該第１階層柱梁仕口部の上記貫通梁主筋に対しては接合しかつ第２および第３階層柱梁仕口部位置に対しては配筋するステップと、
上記２連ＰＣａ梁ユニットの上記通し梁主筋が配筋された第３階層柱梁仕口部位置に現場打ちコンクリートを打設して、第３階層柱梁仕口部を構築しつつこれに２連ＰＣａ梁ユニットを接合するステップと、
上記貫通梁主筋と上記梁主筋との接合部に現場打ちコンクリートを打設して、上記２連ＰＣａ梁ユニットの上記一方のＰＣａ梁部および上記ＰＣａ梁部材を上記第１階層柱梁仕口部に接合するステップと、
第２および第３階層柱梁仕口部位置に現場打ちコンクリートを打設して、これら第２および第３階層柱梁仕口部を構築しつつこれらにそれぞれ上記２連ＰＣａ梁ユニットの上記他方のＰＣａ梁部および上記ＰＣａ梁部材を接合するステップと、
上記２層用外殻ＰＣａ柱部材内部および上記１層用外殻ＰＣａ柱部材内部に現場打ちコンクリートを打設するステップとを含み、
これらステップで一つの施工階を構築することを繰り返すことを特徴とするＲＣ造柱・梁架構の構築方法。
【請求項５】
前記２連ＰＣａ梁ユニットの一方のＰＣａ梁部は、前記第１階層柱梁仕口部の前記貫通梁主筋と接合される梁主筋を有して短尺に形成され、他方のＰＣａ梁部は、前記第２階層柱梁仕口部に配筋される梁主筋を有して長尺に形成されることを特徴とする請求項４に記載のＲＣ造柱・梁架構の構築方法。
【請求項６】
前記ＰＣａ梁部材として、短尺ＰＣａ梁部材および長尺ＰＣａ梁部材を備え、上記短尺ＰＣａ梁部材は、前記第１階層柱梁仕口部の前記貫通梁主筋と接合される梁主筋を有し、前記長尺ＰＣａ梁部材は、前記第２および第３階層柱梁仕口部に配筋される梁主筋を有することを特徴とする請求項４または５に記載のＲＣ造柱・梁架構の構築方法。
【請求項７】
前記３層柱ユニットの前記柱主筋は、前記２層用外殻ＰＣａ柱部材内にその高さ方向に沿って移動自在に設けられ、該３層柱ユニットの建て込みに際しては、前記柱建て込み位置に突設される前記既設の柱主筋との接合のために該２層用外殻ＰＣａ柱部材下方へ突出されることを特徴とする請求項４〜６いずれかの項に記載のＲＣ造柱・梁架構の構築方法。
【請求項８】
前記柱に沿って現場打ちされるコンクリートと、前記梁に沿って現場打ちされるコンクリートとを打ち分けることを特徴とする請求項４〜７いずれかの項に記載のＲＣ造柱・梁架構の構築方法。
【請求項９】
前記柱主筋には予め、当該柱主筋の長さ方向に沿って配筋される複数のフープ筋が適宜位置にまとめて保持されていることを特徴とする請求項４〜８いずれかの項に記載のＲＣ造柱・梁架構の構築方法。
【発明の詳細な説明】
【技術分野】
【０００１】
本発明は、建物の３階層分を一単位として、さらなる施工の合理化・省力化を達成することが可能なＲＣ造柱・梁架構およびその構築方法に関する。
【背景技術】
【０００２】
従来、施工効率の高い柱および梁の構築方法として、特許文献１および特許文献２が知られている。特許文献１は、各施工階毎の揚重回数が少なく、柱主筋と柱主筋との接続回数が少なく、現場で柱主筋に柱剪断補強筋を配筋する必要がなく、施工効率の高い柱の構築方法、並びに柱および梁の構築方法を提供することを目的とし、フルＰＣ柱は、２階分の階高長さを有する第１柱主筋が埋設されるとともに、上部に１階分の柱剪断補強筋が束ねて仮止めされており、第２柱主筋に接続されて立設される。（Ｎ−１）階からの第３柱主筋のＮ階部分には、柱剪断補強筋が配筋されて柱型枠が形成される。ハーフＰＣ梁は、一端側の梁主筋を第１柱主筋に挿入する一方、他端側の梁主筋を第３柱主筋に挿入して吊り降ろされ、フルＰＣ柱と柱型枠との間に架設される。
【０００３】
その結果、フルＰＣ柱のＮ階への揚重回数、第１柱主筋の接続回数を従来の半分にできる。また、柱剪断補強筋を第１柱主筋の上方に仮止めしておくことで、ハーフＰＣ梁の架設と柱剪断補強筋の配筋を容易にできる。
【０００４】
特許文献２は、特許文献１と同様な目的を有し、先組柱主筋は、２階分の階高長さを有して上部に（１階分＋パネルゾーン分）の柱剪断補強筋が束ねて仮止めされており、（Ｎ−２）階からの第２柱主筋に接続されて立設される。先組柱主筋のＮ階部分には第１柱型枠が形成される一方、（Ｎ−１）階からの第３柱主筋のＮ階部分には第２柱型枠が形成されて、コンクリートが打設される。ハーフＰＣ梁は、一端側の梁主筋を先組柱主筋に挿入する一方、他端側の梁主筋を第３柱主筋に挿入して吊り降ろされて架設される。その結果、先組柱主筋のＮ階への揚重回数、先組柱主筋の接続回数を従来の半分にできる。また、柱剪断補強筋を先組柱主筋の上方に仮止めしておくことで、ハーフＰＣ梁の架設と柱剪断補強筋の配筋を容易にできる。
【特許文献１】特開２０００−２６５５４５号公報
【特許文献２】特開２０００−２６５５４６号公報
【発明の開示】
【発明が解決しようとする課題】
【０００５】
ところで、上記背景術は、建物２階分の施工を基準として各種作業の省力化を実現できるものであるが、さらに多層階に対する施工作業を単位としてその施工の合理化、省力化を達成することが可能な柱・梁架構の構成およびその構築方法の案出が望まれていた。
【０００６】
本発明は上記従来の課題に鑑みて創案されたものであって、建物の３階層分を一単位として、さらなる施工の合理化・省力化を達成することが可能なＲＣ造柱・梁架構およびその構築方法を提供することを目的とする。
【課題を解決するための手段】
【０００７】
本発明にかかるＲＣ造柱・梁架構は、１層の柱部と１つの柱梁仕口部とを１階層として、上方に向かって第１階層、第２階層および第３階層からなる３階層分を一単位として柱を構築するために、架構の高さ方向に交互に設けられる３層柱ユニットおよび１層用外殻ＰＣａ柱部材、並びに梁を構築するために、該柱梁仕口部に接合される２連ＰＣａ梁ユニットおよびＰＣａ梁部材を備え、これら３層柱ユニット、１層用外殻ＰＣａ柱部材、２連ＰＣａ梁ユニットおよびＰＣａ梁部材が現場打ちコンクリートで一体化されるＲＣ造柱・梁架構であって、上記３層柱ユニットは、第１階層柱部と第２階層柱部との間に第１階層柱梁仕口部を備え、かつ該第１階層柱梁仕口部に、これを貫通して外方へ突出する貫通梁主筋が配筋され、柱建て込み位置に設けられる２層用外殻ＰＣａ柱部材と、該２層用外殻ＰＣａ柱部材に組み込まれ、柱建て込み位置の既設の柱主筋と接合されて当該２層用外殻ＰＣａ柱部材から上方へ１階層分以上突出される柱主筋とから構成され、上記１層用外殻ＰＣａ柱部材は、上記２層用外殻ＰＣａ柱部材上に形成される第２階層柱梁仕口部上に、当該第２階層柱梁仕口部から突出する上記柱主筋が挿通されつつ設けられ、かつその上に第３階層柱梁仕口部が形成される第３階層柱部を形成し、さらに上記３層柱ユニットは、これら３層柱ユニットおよび１層用外殻ＰＣａ柱部材で構成される第１〜第３階層が各階それぞれについて、縦横に設定される柱建て込み位置の横方向に沿って、第１階層の隣りに第３階層が位置し、第３階層の隣りに第２階層が位置し、第２階層の隣りに第１階層が位置して循環し、かつ縦方向に沿って、第１階層の隣りに第２階層が位置し、第２階層の隣りに第３階層が位置し、第３階層の隣りに第１階層が位置して循環するように、建て込み階を異ならせて設けられ、上記２連ＰＣａ梁ユニットは、上記第３階層柱梁仕口部を貫通する通し梁主筋を介して一対のＰＣａ梁部を連結して構成され、一方のＰＣａ梁部が隣接する第１階層の上記第１階層柱梁仕口部に接合され、かつ他方のＰＣａ梁部が隣接する第２階層の上記第２階層柱梁仕口部に接合され、上記ＰＣａ梁部材は、上記２連ＰＣａ梁ユニットが設けられない残余の上記柱梁仕口部間に設けられてこれら柱梁仕口部に接合されることを特徴とする。
【０００８】
前記２連ＰＣａ梁ユニットの一方のＰＣａ梁部は、前記第１階層柱梁仕口部の前記貫通梁主筋と接合される梁主筋を有して短尺に形成され、他方のＰＣａ梁部は、前記第２階層柱梁仕口部に配筋される梁主筋を有して長尺に形成されることを特徴とする。
【０００９】
前記ＰＣａ梁部材として、短尺ＰＣａ梁部材および長尺ＰＣａ梁部材を備え、上記短尺ＰＣａ梁部材は、前記第１階層柱梁仕口部の前記貫通梁主筋と接合される梁主筋を有し、前記長尺ＰＣａ梁部材は、前記第２および第３階層柱梁仕口部に配筋される梁主筋を有することを特徴とする。
【００１０】
本発明にかかるＲＣ造柱・梁架構の構築方法は、請求項１に記載のＲＣ造柱・梁架構を構築する方法であって、前記３層柱ユニット、前記１層用外殻ＰＣａ柱部材、前記２連ＰＣａ梁ユニットおよび前記ＰＣａ梁部材を用い、これら３層柱ユニットおよび１層用外殻ＰＣａ柱部材で構成される第１〜第３階層が各施工階それぞれについて、縦横に設定される柱建て込み位置の横方向に沿って、第１階層の隣りに第３階層が位置し、第３階層の隣りに第２階層が位置し、第２階層の隣りに第１階層が位置して循環し、かつ縦方向に沿って、第１階層の隣りに第２階層が位置し、第２階層の隣りに第３階層が位置し、第３階層の隣りに第１階層が位置して循環するように、上記３層柱ユニットの建て込み階を異ならせて、かつ第１階層を構築する建て込みでは、該３層柱ユニットを、その前記柱主筋を柱建て込み位置に突設される既設の柱主筋と接合して前記２層用外殻ＰＣａ柱部材から上方へ１階層分以上突出させた状態にして建て込んで、施工階初期状態を形成するステップと、第３階層の上記１層用外殻ＰＣａ柱部材を中央にして３つ並べて建て込んだ上記３層柱ユニットの組に対して上記２連ＰＣａ梁ユニットを建て込んで、その前記通し梁主筋を該１層用外殻ＰＣａ柱部材上の第３階層柱梁仕口部位置に配筋し、前記一方のＰＣａ梁部の梁主筋を隣接する上記２層用外殻ＰＣａ柱部材の前記第１階層柱梁仕口部の前記貫通梁主筋に接合し、かつ前記他方のＰＣａ梁部の梁主筋を隣接する該２層用外殻ＰＣａ柱部材上の第２階層柱梁仕口部位置に配筋するステップと、上記組以外で、互いに隣接する一対の階層の上記第１階層柱梁仕口部位置と第２階層柱梁仕口部位置との間、互いに隣接する一対の階層の上記第１階層柱梁仕口部位置と第３階層柱梁仕口部位置との間、並びに互いに隣接する一対の階層の第２階層柱梁仕口部位置と第３階層柱梁仕口部位置との間にそれぞれ上記ＰＣａ梁部材を建て込んで、それらの梁主筋を、該第１階層柱梁仕口部の上記貫通梁主筋に対しては接合しかつ第２および第３階層柱梁仕口部位置に対しては配筋するステップと、上記２連ＰＣａ梁ユニットの上記通し梁主筋が配筋された第３階層柱梁仕口部位置に現場打ちコンクリートを打設して、第３階層柱梁仕口部を構築しつつこれに２連ＰＣａ梁ユニットを接合するステップと、上記貫通梁主筋と上記梁主筋との接合部に現場打ちコンクリートを打設して、上記２連ＰＣａ梁ユニットの上記一方のＰＣａ梁部および上記ＰＣａ梁部材を上記第１階層柱梁仕口部に接合するステップと、第２および第３階層柱梁仕口部位置に現場打ちコンクリートを打設して、これら第２および第３階層柱梁仕口部を構築しつつこれらにそれぞれ上記２連ＰＣａ梁ユニットの上記他方のＰＣａ梁部および上記ＰＣａ梁部材を接合するステップと、上記２層用外殻ＰＣａ柱部材内部および上記１層用外殻ＰＣａ柱部材内部に現場打ちコンクリートを打設するステップとを含み、これらステップで一つの施工階を構築することを繰り返すことを特徴とする。
【００１１】
前記２連ＰＣａ梁ユニットの一方のＰＣａ梁部は、前記第１階層柱梁仕口部の前記貫通梁主筋と接合される梁主筋を有して短尺に形成され、他方のＰＣａ梁部は、前記第２階層柱梁仕口部に配筋される梁主筋を有して長尺に形成されることを特徴とする。
【００１２】
前記ＰＣａ梁部材として、短尺ＰＣａ梁部材および長尺ＰＣａ梁部材を備え、上記短尺ＰＣａ梁部材は、前記第１階層柱梁仕口部の前記貫通梁主筋と接合される梁主筋を有し、前記長尺ＰＣａ梁部材は、前記第２および第３階層柱梁仕口部に配筋される梁主筋を有することを特徴とする。
【００１３】
前記３層柱ユニットの前記柱主筋は、前記２層用外殻ＰＣａ柱部材内にその高さ方向に沿って移動自在に設けられ、該３層柱ユニットの建て込みに際しては、前記柱建て込み位置に突設される前記既設の柱主筋との接合のために該２層用外殻ＰＣａ柱部材下方へ突出されることを特徴とする。
【００１４】
前記柱に沿って現場打ちされるコンクリートと、前記梁に沿って現場打ちされるコンクリートとを打ち分けることを特徴とする。
【００１５】
前記柱主筋には予め、当該柱主筋の長さ方向に沿って配筋される複数のフープ筋が適宜位置にまとめて保持されていることを特徴とする。
【発明の効果】
【００１６】
本発明にかかるＲＣ造柱・梁架構およびその構築方法にあっては、建物の３階層分を一単位として、さらなる施工の合理化・省力化を達成することができる。
【発明を実施するための最良の形態】
【００１７】
以下に、本発明にかかるＲＣ造柱・梁架構およびその構築方法の好適な一実施形態を、添付図面を参照して詳細に説明する。本実施形態にかかるＲＣ造柱・梁架構は基本的には、図１から図７に示すように、１層の柱部と１つの柱梁仕口部とを１階層として、上方に向かって第１階層（α）、第２階層（β）および第３階層（γ）からなる３階層分を一単位として柱を構築するために、架構の高さ方向に交互に設けられる３層柱ユニット１および１層用外殻ＰＣａ柱部材２、並びに梁を構築するために、柱梁仕口部３ａ〜３ｃに接合される２連ＰＣａ梁ユニット３０およびＰＣａ梁部材４，５を備え、これら３層柱ユニット１、１層用外殻ＰＣａ柱部材２、２連ＰＣａ梁ユニット３０およびＰＣａ梁部材４，５が現場打ちコンクリートで一体化されるＲＣ造柱・梁架構であって、３層柱ユニット１は、第１階層柱部６ａと第２階層柱部６ｂとの間に第１階層柱梁仕口部３ａを備え、かつ第１階層柱梁仕口部３ａに、これを貫通して外方へ突出する貫通梁主筋７が配筋され、柱建て込み位置に設けられる２層用外殻ＰＣａ柱部材６と、２層用外殻ＰＣａ柱部材６に組み込まれ、柱建て込み位置の既設の柱主筋８と接合されて当該２層用外殻ＰＣａ柱部材６から上方へ１階層分以上突出される（図中、Ｐで示す）柱主筋９とから構成され、１層用外殻ＰＣａ柱部材２は、２層用外殻ＰＣａ柱部材６上に形成される第２階層柱梁仕口部３ｂ上に、当該第２階層柱梁仕口部３ｂから突出する柱主筋９が挿通されつつ設けられ、かつその上に第３階層柱梁仕口部３ｃが形成される第３階層柱部６ｃを形成し、さらに３層柱ユニット１は、これら３層柱ユニット１および１層用外殻ＰＣａ柱部材２で構成される第１階層（α）〜第３階層（γ）が各階それぞれについて、縦横に設定される柱建て込み位置の横方向（Ｘ方向）に沿って、第１階層（α）の隣りに第３階層（γ）が位置し、第３階層（γ）の隣りに第２階層（β）が位置し、第２階層（β）の隣りに第１階層（α）が位置して循環し、かつ縦方向（Ｙ方向）に沿って、第１階層（α）の隣りに第２階層（β）が位置し、第２階層（β）の隣りに第３階層（γ）が位置し、第３階層（γ）の隣りに第１階層（α）が位置して循環するように、建て込み階を異ならせて設けられ、２連ＰＣａ梁ユニット３０は、第３階層柱梁仕口部３ｃを貫通する通し梁主筋３３を介して一対のＰＣａ梁部３１，３２を連結して構成され、一方のＰＣａ梁部３１が隣接する第１階層（α）の第１階層柱梁仕口部３ａに接合され、かつ他方のＰＣａ梁部３２が隣接する第２階層（β）の第２階層柱梁仕口部３ｂに接合され、ＰＣａ梁部材４，５は、２連ＰＣａ梁ユニット３０が設けられない残余の柱梁仕口部３ａ〜３ｃ間に設けられてこれら柱梁仕口部３ａ〜３ｃに接合されて構成される。
【００１８】
１階層は、１層の柱部と１つの柱梁仕口部とから構成される。１層の柱部の高さ寸法は、上下２つの柱梁仕口部３ａ〜３ｃ間の高さ寸法となる。第１階層（α）は、第１階層柱部６ａと第１階層柱梁仕口部３ａとで構成され、第２階層（β）は、第２階層柱部６ｂと第２階層柱梁仕口部３ｂとで構成され、第３階層（γ）は、第３階層柱部６ｃと第３階層柱梁仕口部３ｃとで構成されて、これら第１階層（α）から第３階層（γ）の３階層分が一単位として柱・梁架構の柱が構築される。また、各柱梁仕口部３ａ〜３ｃには、柱間に架設される２連ＰＣａ梁ユニット３０やＰＣａ梁部材４，５が接合され、これにより柱・梁架構の梁が構築される。
【００１９】
３層柱ユニット１は、２層用外殻ＰＣａ柱部材６と、柱主筋９とから構成される。２層用外殻ＰＣａ柱部材６は、遠心成形あるいは所定型枠へのコンクリート流し込み成形により中空筒体状に形成される。２層用外殻ＰＣａ柱部材６には、その肉厚部分にフープ筋１０が、また必要に応じて、中子筋１１が柱剪断補強筋として埋設されて配筋される。これらフープ筋１０や中子筋１１は、遠心成形に際して、予め遠心成形用型枠に配設され、当該遠心成形用型枠内に投入されて遠心力の作用を受けるコンクリートによって覆われて、２層用外殻ＰＣａ柱部材６に埋設される。流し込み成形の場合も同様である。
【００２０】
２層用外殻ＰＣａ柱部材６は、第１階層柱部６ａ、第１階層柱梁仕口部３ａおよび第２階層柱部６ｂを備える高さ寸法で形成され、柱建て込み位置に設けられる。２層用外殻ＰＣａ柱部材６の第１階層柱梁仕口部３ａは第１階層柱部６ａ等と一連に中空筒体状に形成され、その肉厚部分を貫通して複数の貫通孔１２が形成される。これら貫通孔１２にはそれぞれ、第１階層柱梁仕口部３ａを貫通して外方へ突出される貫通梁主筋７が移動自在に配筋される。第１階層柱梁仕口部３ａから外方へ突出された貫通梁主筋７の突出部分には、スターラップ筋１３が配筋される。
【００２１】
柱主筋９は、３層の柱部６ａ〜６ｃと３階層の柱梁仕口部３ａ〜３ｃに亘る３階層分の高さ寸法Ｌを有する。柱主筋９は、２層用外殻ＰＣａ柱部材６内部の中央位置およびその内周面に沿わせて適宜に配筋される。これら柱主筋９は、柱建て込み位置への建て込み前のクレーンなどによる吊り上げ状態で、２層用外殻ＰＣａ柱部材６内にその高さ方向に沿って移動自在に設けられる。具体的には、吊り具として、２層用外殻ＰＣａ柱部材６を吊るための第１吊り具１４と、柱主筋９を吊るための第２吊り具１５とが用いられ、これら吊り具１４，１５の上下位置関係を調整することで２層用外殻ＰＣａ柱部材６と柱主筋９との位置関係を調節して、柱主筋９の下端部を２層用外殻ＰＣａ柱部材６から下方に鉄筋接合作業に必要な長さだけ突出させた状態で吊り込みが行われるようになっている。このように柱主筋９の下端部を突出させることで、柱建て込み位置に床面レベルより所定長さ突設された下階からの既設の柱主筋８との接合作業の利便性が図られる。
【００２２】
既設の柱主筋８と、３層柱ユニット１を構成する突出状態の柱主筋９との接合後、これら柱主筋８，９同士の接合部分を覆うようにして第１吊り具１４が下降されて、２層用外殻ＰＣａ柱部材６が柱建て込み位置に建て込まれるようになっている。柱主筋９は３階層分の高さ寸法Ｌで形成されることから、既設の柱主筋８と接合することで、当該柱主筋９は、２層用外殻ＰＣａ柱部材６から上方へ、１つの柱梁接合部分の高さおよび１階層分の高さに、既設の柱主筋８の突設量を加えた高さＰで突出される。柱主筋８，９同士の接合は、ガス圧接継ぎ手や溶接継ぎ手、重ね継ぎ手、ねじ継ぎ手、スリーブ継ぎ手など各種周知の継ぎ手を採用することができる。また、柱主筋９には予め、当該柱主筋９の長さ方向に沿って配筋される複数のフープ筋１６、本実施形態にあっては、第２階層柱部６ｂ上の第２階層柱梁仕口部３ｂに配筋されるフープ筋１６が適宜位置にまとめて、番線などによって束ねて保持される。
【００２３】
以上の３層柱ユニット１は、その柱主筋９が施工階の柱建て込み位置に突設される既設の柱主筋８と接合された上で、２層用外殻ＰＣａ柱部材６が建て込まれることで、第１階層柱部６ａ、貫通梁主筋７を有する第１階層柱梁仕口部３ａ、並びに第２階層柱部６ｂを構成する。
【００２４】
１層用外殻ＰＣａ柱部材２は２層用外殻ＰＣａ柱部材６と同様に、遠心成形あるいは所定型枠へのコンクリート流し込み成形によって中空筒体状に形成される。１層用外殻ＰＣａ柱部材２にも、その肉厚部分にフープ筋が、また必要に応じて中子筋が柱剪断補強筋として埋設して配筋される。この１層用外殻ＰＣａ柱部材２は、１層分の高さ寸法（１階層から柱梁仕口部を除いた高さ寸法）で形成され、３層柱ユニット１の２層用外殻ＰＣａ柱部材６から突出する柱主筋９が挿通されつつ、当該２層用外殻ＰＣａ柱部材６上に形成される第２階層柱梁仕口部３ｂ上に建て込まれて、第３階層柱部６ｃを構成する。
【００２５】
これら３層柱ユニット１および１層用外殻ＰＣａ柱部材２により、柱は第１階層（α）〜第３階層（γ）の３階層分を一単位として構築されるが、３層柱ユニット１、従ってまた１層用外殻ＰＣａ柱部材２は、各階それぞれについて、隣接するもの同士のこれら階層位置が異なるように、建て込み階を異ならせて設けられる。具体的には図示するように、縦横に設定される柱建て込み位置のＸ方向に沿って、第１階層（α）の隣りに第３階層（γ）が位置し、第３階層（γ）の隣りに第２階層（β）が位置し、第２階層（β）の隣りに第１階層（α）が位置して循環し、かつＹ方向に沿って、第１階層（α）の隣りに第２階層（β）が位置し、第２階層（β）の隣りに第３階層（γ）が位置し、第３階層（γ）の隣りに第１階層（α）が位置して循環するように、３層柱ユニット１は異なる建て込み階に建て込まれる。
【００２６】
このようにすることで、Ｘ方向については、第１階層柱梁仕口部３ａの隣りに第３階層柱梁仕口部３ｃが位置され、第３階層柱梁仕口部３ｃの隣りに第２階層柱梁仕口部３ｂが位置され、第２階層柱梁仕口部３ｂの隣りに第１階層柱梁仕口部３ａが位置される循環配置となり、また、Ｙ方向については、第１階層柱梁仕口部３ａの隣りに第２階層柱梁仕口部３ｂが位置され、第２階層柱梁仕口部３ｂの隣りに第３階層柱梁仕口部３ｃが位置され、第３階層柱梁仕口部３ｃの隣りに第１階層柱梁仕口部３ａが位置される循環配置となる。
【００２７】
２連ＰＣａ梁ユニット３０およびＰＣａ梁部材４，５は、３層柱ユニット１および１層用外殻ＰＣａ柱部材２を架構の高さ方向に交互に設けることで、上方に向かって構築される第１階層（α）、第２階層（β）および第３階層（γ）それぞれの柱部６ａ〜６ｃ上に形成される各階層の柱梁仕口部３ａ〜３ｃにそれぞれ接合される。２連ＰＣａ梁ユニット３０は、第３階層柱梁仕口部３ｃを挟む配置で一対のＰＣａ梁部３１，３２を備える。ＰＣａ梁部材４，５としては、第３階層柱梁仕口部３ｃを挟む配置以外の柱梁仕口部３ａ〜３ｃ間に設けられる。具体的には、ＰＣａ梁部材４，５としては、第１階層柱梁仕口部３ａにその貫通梁主筋７を介して接合される短尺ＰＣａ梁部材４と、貫通梁主筋７が配筋されない第２階層および第３階層柱梁仕口部３ｂ，３ｃ間に設けられる長尺ＰＣａ梁部材５の２種類が用いられる。
【００２８】
２連ＰＣａ梁ユニット３０はそれ自体の構成として、柱梁仕口部（図示例に従えば、上記第３階層柱梁仕口部３ｃ）にこれを貫通して配筋される通し梁主筋３３と、通し梁主筋３３により互いに連結される一対のＰＣａ梁部３１，３２とを備え、一方のＰＣａ梁部３１は、隣接する柱（図示例では、２層用外殻ＰＣａ柱部材６）の柱梁仕口部３ａにこれを貫通して配筋されて外方に突出される梁主筋（例えば、貫通梁主筋７）と接合するために、短尺に形成され、他方のＰＣａ梁部３２は、隣接する他の柱梁仕口部（図示例では、第２階層柱梁仕口部３ｂ）との間に架設するために、長尺に形成されて、３つの柱梁仕口部３ａ〜３ｃにわたって梁を構築する。
【００２９】
本実施形態にあっては２連ＰＣａ梁ユニット３０はハーフプレキャスト製で、一方のＰＣａ梁部３１と他方のＰＣａ梁部３２とを連結しかつ第３階層柱梁仕口部３ｃ位置に貫通して配筋される通し梁主筋３３がスターラップ筋３４とともに埋設されて形成され、この通し梁主筋３３は、各ＰＣａ梁部３１，３２それぞれの端部から外方へ突出される。他方のＰＣａ梁部３２は、その両端部が１層用外殻ＰＣａ柱部材２および２層用外殻ＰＣａ柱部材３それぞれの上端に設置される長さ寸法で形成され、その内部に埋設される通し梁主筋３３は、当該他方のＰＣａ梁部３２の一端部から第２階層柱梁仕口部３ｂ位置に達するように突出される。一方のＰＣａ梁部３１は、その一端部から突出される通し梁主筋３３が貫通梁主筋７と接合される関係上、他方のＰＣａ梁部３２よりも、これら梁主筋７，３３同士の接合部分の長さ寸法を差し引いて短縮した長さ寸法で形成される。
【００３０】
そして一方の短尺なＰＣａ梁部３１は、通し梁主筋３３が貫通梁主筋７と接合されて、隣接する第１階層柱梁仕口部３ａに結合され、また他方の長尺なＰＣａ梁部３２は、隣接する第２階層柱梁仕口部３ｂ位置に通し梁主筋３３が配筋されて、当該第２階層柱梁仕口部３ｂに結合され、これにより２連ＰＣａ梁ユニット３０は、１層用外殻ＰＣａ柱部材２およびその両側の２層用外殻ＰＣａ柱部材６と接合される。
【００３１】
長尺ＰＣａ梁部材５は、その両端部が柱部上端に設置される長さ寸法で形成され、長尺ＰＣａ梁部材５内に埋設される梁主筋１７およびスターラップ筋のうち梁主筋１７は、両端部から柱梁仕口部３ｂ，３ｃ内に達するように突出される。短尺ＰＣａ梁部材４は、これに埋設される梁主筋１８およびスターラップ筋のうち、その一端部から突出される梁主筋１８が貫通梁主筋７と接合される関係上、長尺ＰＣａ梁部材５よりも、これら梁主筋７，１８同士の接合部分の長さ寸法を差し引いて短縮した長さ寸法で形成される。短尺ＰＣａ梁部材４の他端部からは、梁主筋１８は長尺ＰＣａ梁部材５と同様に、柱梁仕口部３ｂ，３ｃ内に達するように突出される。そして短尺ＰＣａ梁部材４は、梁主筋１８の一端が貫通梁主筋７と接合されて、第１階層柱梁仕口部３ａに結合され、他端が第２階層や第３階層の柱梁仕口部３ｂ，３ｃ位置に配筋されて、これら柱梁仕口部３ｂ，３ｃに接合される。
【００３２】
また長尺ＰＣａ梁部材５は、梁主筋１７が第２階層や第３階層柱梁仕口部３ｂ，３ｃに配筋されて、これら柱梁仕口部３ｂ、３ｃに結合される。梁主筋７，１７，１８，３３同士の接合についても、ガス圧接継ぎ手や溶接継ぎ手、重ね継ぎ手、ねじ継ぎ手、スリーブ継ぎ手など各種周知の継ぎ手を採用することができる。これらＰＣａ梁部材４，５としては、フルプレキャスト製、ハーフプレキャスト製のいずれであってもよい。
【００３３】
本実施形態のＲＣ造柱・梁架構は、柱が３層柱ユニット１と１層用外殻ＰＣａ柱部材２とを交互に設けることによって構築され、梁が２連ＰＣａ梁ユニット３０とＰＣａ梁部材４，５によって構築される。いずれかの施工階の柱建て込み位置に３層柱ユニット１が設けられる。図示例にあっては、柱建て込み位置のＸ方向に沿って、第１階層（α）の隣りに第３階層（γ）が位置し、第３階層（γ）の隣りに第２階層（β）が位置し、第２階層（β）の隣りに第１階層（α）が位置して循環する配置に従って、３層柱ユニット１は、位置（Ｘ１）と位置（Ｘ４）では（ｎ）階の、位置（Ｘ２）では２階層下の（ｎ−２）階の、位置（Ｘ３）では１階層下の（ｎ−１）階の、各柱建て込み位置に設けられている。
【００３４】
柱建て込み位置（Ｘ１）では、３層柱ユニット１の２層用外殻ＰＣａ柱部材６は、第１および第２階層柱部６ａ，６ｂが（ｎ）階と（ｎ＋１）階の柱部を構成し、第１階層柱梁仕口部３ａが（ｎ）階の柱梁仕口部を構成する。また、（ｎ）階床面から突設される既設の柱主筋８と接合される当該３層柱ユニット１の柱主筋９は、（ｎ）階からほぼ（ｎ＋３）階に達する。（ｎ）階の柱梁仕口部３ａには、隣接する柱建て込み位置（Ｘ２）の第３階層柱梁仕口部３ｃとの間に掛け渡して、２連ＰＣａ梁ユニット３０の短尺ＰＣａ梁部３１が設けられる。短尺ＰＣａ梁部３１は、その通し梁主筋３３が（ｎ）階の柱梁仕口部３ａの貫通梁主筋７に接合されかつこれら梁主筋７，３３接合部周りに現場打ちコンクリートが打設されて、当該（ｎ）階の柱梁仕口部３ａに接合される。
【００３５】
２層用外殻ＰＣａ柱部材６上の第２階層柱梁仕口部３ｂ位置には、柱主筋９に予め保持されていたフープ筋１６が配筋されるとともに、柱建て込み位置（Ｘ２）の第１階層柱梁仕口部３ａとの間に掛け渡される短尺ＰＣａ梁部材４の梁主筋１８が配筋され、現場打ちコンクリートが２層用外殻ＰＣａ柱部材６内部およびその上部に打設されて、２層用外殻ＰＣａ柱部材６が柱として完成されるとともに、その上に第２階層柱梁仕口部３ｂが（ｎ＋１）階の柱梁仕口部として形成される。（ｎ＋１）階の柱梁仕口部３ｂ上に、１層用外殻ＰＣａ柱部材２が柱主筋９に挿通して設けられる。この１層用外殻ＰＣａ柱部材２は、（ｎ＋２）階の柱部６ｃを構成する。
【００３６】
１層用外殻ＰＣａ柱部材２上の第３階層柱梁仕口部３ｃ位置には、別途準備されたフープ筋２３が配筋されるとともに、柱建て込み位置（Ｘ２）の第２階層柱梁仕口部３ｂとの間に掛け渡される長尺ＰＣａ梁部材５の梁主筋１７が配筋され、現場打ちコンクリートが１層用外殻ＰＣａ柱部材２内部およびその上部に打設されて、１層用外殻ＰＣａ柱部材２が柱として完成されるとともに、その上に第３階層柱梁仕口部３ｃが（ｎ＋２）階の柱梁仕口部として形成される。そしてこの（ｎ＋２）階の柱梁仕口部３ｃ、すなわち（ｎ＋３）階の床面から、３層柱ユニット１の柱主筋９が上方に向かって突出され、この柱主筋９が、直上の施工階にさらに建て込まれる３層柱ユニット１の柱主筋９と接合される既設の柱主筋となる。
【００３７】
柱建て込み位置（Ｘ２）では、（ｎ）階の床面（第２階層柱梁仕口部３ｂ）から突出する３層柱ユニット（建て込み階は（ｎ−２）階）１の柱主筋９に挿通して設けられた１層用外殻ＰＣａ柱部材２が（ｎ）階の柱部６ｃを構成する。１層用外殻ＰＣａ柱部材２上の第３階層柱梁仕口部３ｃは（ｎ）階の柱梁仕口部を構成し、この第３階層柱梁仕口部３ｃ位置には、２連ＰＣａ梁ユニット３０の通し梁主筋３３が配筋されるとともに、フープ筋２３が配筋される。２連ＰＣａ梁ユニット３０の短尺ＰＣａ梁部３１は上述したように、隣接する柱建て込み位置（Ｘ１）の第１階層柱梁仕口部３ａに接合されるとともに、長尺ＰＣａ梁部３２は隣接する柱建て込み位置（Ｘ３）の第２階層柱梁仕口部３ｂに接合される。
【００３８】
そして、現場打ちコンクリートが１層用外殻ＰＣａ柱部材２内部およびその上部に打設されて、１層用外殻ＰＣａ柱部材２が柱として完成されるとともに、その上に第３階層柱梁仕口部３ｃが（ｎ）階の柱梁仕口部として形成される。この（ｎ）階の柱梁仕口部３ｃ、すなわち（ｎ＋１）階の床面から、３層柱ユニット１の柱主筋９が上方に向かって突設され、この柱主筋９が、（ｎ＋１）階に建て込まれる３層柱ユニット１の柱主筋９と接合される既設の柱主筋となる。
【００３９】
（ｎ＋１）階に建て込まれる３層ユニット１の２層用外殻ＰＣａ柱部材６は、第１および第２階層柱部６ａ，６ｂが（ｎ＋１）階と（ｎ＋２）階の柱部を構成し、第１階層柱梁仕口部３ａが（ｎ＋１）階の柱梁仕口部を構成する。また、（ｎ＋１）階床面から突設される既設の柱主筋と接合される当該３層柱ユニット１の柱主筋９は、（ｎ＋１）階からほぼ（ｎ＋４）階上方に達する。
【００４０】
（ｎ＋１）階の柱梁仕口部３ａには、柱建て込み位置（Ｘ３）の第３階層柱梁仕口部３ｃとの間に掛け渡して、２連ＰＣａ梁ユニット３０の短尺ＰＣａ梁部３１が設けられるとともに、柱建て込み位置（Ｘ１）の第２階層柱梁仕口部３ｂとの間に掛け渡して、短尺ＰＣａ梁部材４が設けられる。短尺ＰＣａ梁部材４および２連ＰＣａ梁ユニット３０の短尺ＰＣａ梁部３１は、それらの梁主筋１８および通し梁主筋３３が（ｎ＋１）階の柱梁仕口部３ａの貫通梁主筋７に接合されかつこれら梁主筋７，１８，３３接合部周りに現場打ちコンクリートが打設されて、当該（ｎ＋１）階の柱梁仕口部３ａに接合される。
【００４１】
２層用外殻ＰＣａ柱部材６上の第２階層柱梁仕口部３ｂ位置には、柱主筋９に予め保持されていたフープ筋１６が配筋されるとともに、柱建て込み位置（Ｘ３）の第１階層柱梁仕口部３ａおよび柱建て込み位置（Ｘ１）の第３階層柱梁仕口部３ｃとの間にそれぞれ掛け渡される短尺ＰＣａ梁部材４および長尺ＰＣａ梁部材５の梁主筋１７，１８が配筋され、現場打ちコンクリートが２層用外殻ＰＣａ柱部材６内部およびその上部に打設されて、２層用外殻ＰＣａ柱部材６が柱として完成されるとともに、その上に第２階層柱梁仕口部３ｂが（ｎ＋２）階の柱梁仕口部として形成される。
【００４２】
柱建て込み位置（Ｘ３）では、（ｎ−１）階に建て込まれた３層柱ユニット１の２層用外殻ＰＣａ柱部材６の第２階層柱部６ｂが（ｎ）階の柱部を構成する。２層用外殻ＰＣａ柱部材６上の第２階層柱梁仕口部３ｂ位置には、柱主筋９に予め保持されていたフープ筋１６が配筋されるとともに、隣接する柱建て込み位置（Ｘ４）の第１階層柱梁仕口部３ａおよび柱建て込み位置（Ｘ２）の第３階層柱梁仕口部３ｃとの間にそれぞれ掛け渡される短尺ＰＣａ梁部材４および２連ＰＣａ梁ユニット３０の長尺ＰＣａ梁部３２の梁主筋１８および通し梁主筋３３が配筋され、現場打ちコンクリートが２層用外殻ＰＣａ柱部材６内部およびその上部に打設されて、２層用外殻ＰＣａ柱部材６が柱として完成されるとともに、その上に第２階層柱梁仕口部３ｂが（ｎ）階の柱梁仕口部として形成される。
【００４３】
（ｎ）階の柱梁仕口部３ｂ上に、１層用外殻ＰＣａ柱部材２が柱主筋９に挿通して設けられる。この１層用外殻ＰＣａ柱部材２は、（ｎ＋１）階の柱部６ｃを構成する。１層用外殻ＰＣａ柱部材２上の第３階層柱梁仕口部３ｃ位置には、２連ＰＣａ梁ユニット３０の通し梁主筋３３が配筋されるとともに、フープ筋２３が配筋される。２連ＰＣａ梁ユニット３０の短尺ＰＣａ梁部３１は上述したように、柱建て込み位置（Ｘ２）の第１階層柱梁仕口部３ａに接合されるとともに、長尺ＰＣａ梁部３２は柱建て込み位置（Ｘ４）の第２階層柱梁仕口部３ｂに接合される。
【００４４】
そして、現場打ちコンクリートが１層用外殻ＰＣａ柱部材２内部およびその上部に打設されて、１層用外殻ＰＣａ柱部材２が柱として完成されるとともに、その上に第３階層柱梁仕口部３ｃが（ｎ＋１）階の柱梁仕口部として形成される。この（ｎ＋１）階の柱梁仕口部３ｃ、すなわち（ｎ＋２）階の床面から、下方の３層柱ユニット１の柱主筋９が上方に向かって突設され、この柱主筋９が、（ｎ＋２）階に建て込まれる３層柱ユニット１の柱主筋９と接合される既設の柱主筋となる。
【００４５】
（ｎ＋２）階に建て込まれる３層ユニット１の２層用外殻ＰＣａ柱部材６は、第１および第２階層柱部６ａ，６ｂが（ｎ＋２）階と（ｎ＋３）階の柱部を構成し、第１階層柱梁仕口部３ａが（ｎ＋２）階の柱梁仕口部を構成する。また、（ｎ＋２）階床面から突設される既設の柱主筋と接合される当該３層柱ユニット１の柱主筋９は、（ｎ＋２）階からほぼ（ｎ＋５）階上方に達する。（ｎ＋２）階の柱梁仕口部３ａには、柱建て込み位置（Ｘ２）の第２階層柱梁仕口部３ｂおよび柱建て込み位置（Ｘ４）の第３階層柱梁仕口部３ｃとの間にそれぞれ掛け渡して、短尺ＰＣａ梁部材４が設けられる。短尺ＰＣａ梁部材４は、それらの梁主筋１８が第１階層柱梁仕口部３ａの貫通梁主筋７に接合されかつこれら梁主筋７，１８接合部周りに現場打ちコンクリートが打設されて、当該（ｎ＋２）階の柱梁仕口部３ａに接合される。
【００４６】
最後に、柱建て込み位置（Ｘ４）では、３層柱ユニット１の２層用外殻ＰＣａ柱部材６は、第１および第２階層柱部６ａ，６ｂが（ｎ）階と（ｎ＋１）階の柱部を構成し、第１階層柱梁仕口部３ａが（ｎ）階の柱梁仕口部を構成する。また、（ｎ）階床面から突設される既設の柱主筋８と接合される当該３層柱ユニット１の柱主筋９は、（ｎ）階からほぼ（ｎ＋３）階上方に達する。（ｎ）階の柱梁仕口部３ａには、隣接する柱建て込み位置（Ｘ３）の第２階層柱梁仕口部３ｂとの間に掛け渡して、短尺ＰＣａ梁部材４が設けられる。短尺ＰＣａ梁部材４は、その梁主筋１８が（ｎ）階の柱梁仕口部３ａの貫通梁主筋７に接合されかつこれら梁主筋７，１８接合部周りに現場打ちコンクリートが打設されて、当該（ｎ）階の柱梁仕口部３ａに接合される。
【００４７】
２層用外殻ＰＣａ柱部材６上の第２階層柱梁仕口部３ｂ位置には、柱主筋９に予め保持されていたフープ筋１６が配筋されるとともに、柱建て込み位置（Ｘ３）の第３階層柱梁仕口部３ｃとの間に掛け渡して設けられた２連ＰＣａ梁ユニット３０の長尺ＰＣａ梁部３２の通し梁主筋３３が配筋され、現場打ちコンクリートが２層用外殻ＰＣａ柱部材６内部およびその上部に打設されて、２層用外殻ＰＣａ柱部材６が柱として完成されるとともに、その上に第２階層柱梁仕口部３ｂが（ｎ＋１）階の柱梁仕口部として形成される。
【００４８】
（ｎ＋１）階の柱梁仕口部３ｂ上に、１層用外殻ＰＣａ柱部材２が柱主筋９に挿通して設けられる。この１層用外殻ＰＣａ柱部材２は、（ｎ＋２）階の柱部６ｃを構成する。１層用外殻ＰＣａ柱部材２上の第３階層柱梁仕口部３ｃ位置には、フープ筋２３が配筋されるとともに、柱建て込み位置（Ｘ３）との間に掛け渡される短尺ＰＣａ梁部材４の梁主筋１８が配筋され、現場打ちコンクリートが１層用外殻ＰＣａ柱部材２内部およびその上部に打設されて、１層用外殻ＰＣａ柱部材２が柱として完成されるとともに、その上に第３階層柱梁仕口部３ｃが（ｎ＋２）階の柱梁仕口部として形成される。そしてこの（ｎ＋２）階の柱梁仕口部３ｃ、すなわち（ｎ＋３）階の床面から、３層柱ユニット１の柱主筋９が上方に向かって突設され、この柱主筋９が、直上の施工階にさらに建て込まれる３層柱ユニット１の柱主筋９と接合される既設の柱主筋となる。
【００４９】
以上、Ｘ方向について説明したが、Ｙ方向については図示するように、柱建て込み位置のＹ方向に沿って、第１階層（α）の隣りに第２階層（β）が位置し、第２階層（β）の隣りに第３階層（γ）が位置し、第３階層（γ）の隣りに第１階層（α）が位置して循環する配置に従って、３層柱ユニット１は、位置（Ｙ１）と位置（Ｙ４）では（ｎ）階の、位置（Ｙ２）では１階層下の（ｎ−１）階の、位置（Ｙ３）では２階層下の（ｎ−２）階の、各柱建て込み位置に設けられる。このようにして、３層柱ユニット１、１層用外殻ＰＣａ柱部材２、２連ＰＣａ梁ユニット３０およびＰＣａ梁部材４，５により、３階層分を一単位として各階毎に柱・梁が構築される。
【００５０】
次に、本実施形態にかかるＲＣ造柱・梁架構の構築方法について、図８〜図１２に従って説明する。本実施形態にあっては基本的には、上述した３層柱ユニット１、１層用外殻ＰＣａ柱部材２、２連ＰＣａ梁ユニット３０およびＰＣａ梁部材４，５を用い、これら３層柱ユニット１および１層用外殻ＰＣａ柱部材２で構成される第１〜第３階層が各施工階それぞれについて、縦横に設定される柱建て込み位置のＸ方向に沿って、第１階層（α）の隣りに第３階層（γ）が位置し、第３階層（γ）の隣りに第２階層（β）が位置し、第２階層（β）の隣りに第１階層（α）が位置して循環し、かつＹ方向に沿って、第１階層（α）の隣りに第２階層（β）が位置し、第２階層（β）の隣りに第３階層（γ）が位置し、第３階層（γ）の隣りに第１階層（α）が位置して循環するように、３層柱ユニット１の建て込み階を異ならせて、かつ第１階層（α）を構築する建て込みでは、３層柱ユニット１を、その柱主筋９を柱建て込み位置に突設される既設の柱主筋８と接合して２層用外殻ＰＣａ柱部材６から上方へ１階層分以上突出させた状態にして建て込んで、施工階初期状態を形成するステップと、第３階層（γ）の１層用外殻ＰＣａ柱部材２を中央にして３つ並べて建て込んだ３層柱ユニット１の組に対して２連ＰＣａ梁ユニット３０を建て込んで、その通し梁主筋３３を１層用外殻ＰＣａ柱部材２上の第３階層柱梁仕口部３ｃ位置に配筋し、一方のＰＣａ梁部３１の梁主筋３３を隣接する２層用外殻ＰＣａ柱部材６の第１階層柱梁仕口部３ａの貫通梁主筋７に接合し、かつ他方のＰＣａ梁部３２の梁主筋３３を隣接する２層用外殻ＰＣａ柱部材６上の第２階層柱梁仕口部３ｂ位置に配筋するステップと、組以外で、互いに隣接する一対の階層の第１階層柱梁仕口部３ａ位置と第２階層柱梁仕口部３ｂ位置との間、互いに隣接する一対の階層の第１階層柱梁仕口部３ａ位置と第３階層柱梁仕口部３ｃ位置との間、並びに互いに隣接する一対の階層の第２階層柱梁仕口部３ｂ位置と第３階層柱梁仕口部３ｃ位置との間にそれぞれＰＣａ梁部材４，５を建て込んで、それらの梁主筋１７，１８を、第１階層柱梁仕口部３ａの貫通梁主筋７に対しては接合しかつ第２および第３階層柱梁仕口部３ｂ，３ｃ位置に対しては配筋するステップと、２連ＰＣａ梁ユニット３０の通し梁主筋３３が配筋された第３階層柱梁仕口部３ｃ位置に現場打ちコンクリートを打設して、第３階層柱梁仕口部３ｃを構築しつつこれに２連ＰＣａ梁ユニット３０を接合するステップと、貫通梁主筋７と梁主筋３３との接合部に現場打ちコンクリートを打設して、２連ＰＣａ梁ユニット３０の一方のＰＣａ梁部３１およびＰＣａ梁部材４を第１階層柱梁仕口部４ａに接合するステップと、第２および第３階層柱梁仕口部３ｂ，３ｃ位置に現場打ちコンクリートを打設して、これら第２および第３階層柱梁仕口部３ｂ，３ｃを構築しつつこれらにそれぞれ２連ＰＣａ梁ユニット３０の他方のＰＣａ梁部３２およびＰＣａ梁部材４，５を接合するステップと、２層用外殻ＰＣａ柱部材６内部および１層用外殻ＰＣａ柱部材２内部に現場打ちコンクリートを打設するステップとを含み、これらステップで一つの施工階を構築することを繰り返すようになっている。
【００５１】
図８〜図１１には、同一施工階でのＹ方向への構築過程が手順に従って示されている。図１２には、２連ＰＣａ梁ユニット３０の建て込み状態がＸ方向に沿って示されている。図８には、施工階初期状態を形成するステップが示されている。柱建て込み位置（Ｙ１）では、２層用外殻ＰＣａ柱部材６内部に柱主筋９を移動自在に設け、第１階層柱梁仕口部３ａには貫通梁主筋７を配筋し、かつまた当該貫通梁主筋７にスターラップ筋１３を配筋した３層柱ユニット１を、施工階である（ｎ）階の柱建て込み位置に建て込む。建て込みに際しては、２層用外殻ＰＣａ柱部材６の下方へ柱主筋９を突出させた状態で３層柱ユニット１を吊り込み、当該２層用外殻ＰＣａ柱部材６を（ｎ）階の床面に設置する前に、柱主筋９を、（ｎ）階床面の柱建て込み位置から突設されている既設の柱主筋８に接合する。
【００５２】
その後、接合された柱主筋９に対して２層用外殻ＰＣａ柱部材６を吊り下ろし、当該２層用外殻ＰＣａ柱部材６を、柱主筋８，９同士の接合部を覆って、（ｎ）階床面に設置する。これにより、２層用外殻ＰＣａ柱部材６は（ｎ）階から（ｎ＋１）階まで立ち上げられ、また柱主筋９は、ほぼ（ｎ＋３）階床面上の高さ位置まで立ち上げられる。
【００５３】
柱建て込み位置（Ｙ２）では、（ｎ−１）階に建て込まれた３層柱ユニット１の２層用外殻ＰＣａ柱部材６が、その第２階層柱部６ｂを床面から突出させることで、（ｎ）階に立設されている。柱主筋９は、ほぼ（ｎ＋２）階床面上の高さ位置まで立ち上げられている。柱建て込み位置（Ｙ３）では、１層用外殻ＰＣａ柱部材２を、（ｎ−２）階に建て込まれた３層柱ユニット１の柱主筋９に挿通して、（ｎ）階床面に設置する。柱主筋９は、ほぼ（ｎ＋１）階床面上の高さ位置まで立ち上げられている。
【００５４】
図９には、ＰＣａ梁部材４，５を建て込むステップが示されている。柱建て込み位置（Ｙ１）と（Ｙ２）の間に、柱主筋９に保持させたフープ筋１６を避けつつ、短尺ＰＣａ梁部材４を吊り降ろし、支保工２０で支持する。これにより、短尺ＰＣａ梁部材４は、第１および第２階層柱梁仕口部３ａ，３ｂ間に配置される。本実施形態にあっては、短尺ＰＣａ梁部材４として、上部にスターラップ筋１９の上端が突出されたハーフプレキャスト製のものが示されている。このハーフプレキャスト製の短尺ＰＣａ梁部材４では、梁下端主筋は埋設される一方で、梁上端主筋１８ａは、柱建て込み位置（Ｙ１）の第１階層柱梁仕口部３ａの貫通梁主筋７に向かって移動自在に設けられる。
【００５５】
また、柱建て込み位置（Ｙ２）と（Ｙ３）との間に、柱建て込み位置（Ｙ２）の柱主筋９に保持させたフープ筋１６を避けつつ、長尺ＰＣａ梁部材５を吊り降ろし、支保工２０で支持する。これにより、長尺ＰＣａ梁部材５は、第２階層および第３階層柱梁仕口部３ｂ，３ｃ間に配置される。本実施形態にあっては、長尺ＰＣａ梁部材５も、上部にスターラップ筋１９の上端が突出されたハーフプレキャスト製とされ、梁下端主筋は埋設される一方で、梁上端主筋１７ａは、柱建て込み位置（Ｙ２）の第２階層柱梁仕口部３ｂ位置もしくは柱建て込み位置（Ｙ３）の第３階層柱梁仕口部３ｃ位置に向かって移動可能に設けられる。
【００５６】
図１２には、２連ＰＣａ梁ユニット３０を建て込むステップが示されている。施工階である（ｎ）階のＸ方向については、柱建て込み位置（Ｘ１：図９の柱建て込み位置（Ｙ１）に相当）に３層柱ユニット１が吊り込んで設置され、柱建て込み位置（Ｘ２）には、１層用外殻ＰＣａ柱部材２が設置され、柱建て込み位置（Ｘ３）には、２層用外殻ＰＣａ柱部材６の第２階層柱部６ｂが立設されている。これにより、３層柱ユニット１の組が構成される。
【００５７】
２連ＰＣａ梁ユニット３０は、短尺ＰＣａ梁部３１が柱建て込み位置（Ｘ１）と（Ｘ２）との間に、また長尺ＰＣａ梁部３２が柱建て込み位置（Ｘ２）と（Ｘ３）との間に位置し、かつ通し梁主筋３３が柱建て込み位置（Ｘ２）の第３階層柱梁仕口部３ｃ直上に位置するように、柱主筋９に保持させたフープ筋１６を避けつつ、吊り降ろされ、支保工２０で支持される。本実施形態にあっては、２連ＰＣａ梁ユニット３０も、上部にスターラップ筋３４の上端が突出されたハーフプレキャスト製とされ、梁下端主筋は埋設される一方で、梁上端主筋３３ａは、柱建て込み位置（Ｘ１）の第１階層柱梁仕口部３ａの貫通梁主筋７もしくは柱建て込み位置（Ｘ３）の第２階層柱梁仕口部３ｂ位置に向かって移動可能に設けられる。
【００５８】
図１０には、各種配筋などを完了するステップが示されている。柱建て込み位置（Ｙ１）では、短尺ＰＣａ梁部材４の梁上端主筋１８ａの一端を、第１階層柱梁仕口部３ａの貫通梁主筋７と重ね合わせるように移動させる。梁下端主筋の一端については、貫通梁主筋７に対し、突き合わせるなどして接合すればよい。
【００５９】
柱建て込み位置（Ｙ２）では、これを挟んで吊り込まれる長尺ＰＣａ梁部材５および短尺ＰＣａ梁部材４それぞれの端部が、２層用外殻ＰＣａ柱部材６上に載置される。第２階層柱梁仕口部３ｂ位置には、これら長尺ＰＣａ梁部材５および短尺ＰＣａ梁部材４の梁主筋１７，１８が配筋される。またこの際、柱主筋９に予め保持されていたフープ筋１６を下降させて、第２階層柱梁仕口部３ｂ位置に配筋する。これにより、梁主筋１７，１８を含めて、第２階層柱梁仕口部３ｂ位置に対する配筋を完了する。
【００６０】
柱建て込み位置（Ｙ３）では、吊り込んだ長尺ＰＣａ梁部材５の端部が、１層用外殻ＰＣａ柱部材２上に載置される。第３階層柱梁仕口部３ｃ位置には、当該長尺ＰＣａ梁部材５の梁主筋１７が、隣接して建て込まれる図示しない他のＰＣａ梁部材等の梁主筋とともに配筋される。またこの際、柱主筋１９に別途準備したフープ筋２３を装着して、第３階層柱梁仕口部３ｃ位置に配筋する。これにより、梁主筋１７を含めて、第３階層柱梁仕口部３ｃ位置に対する配筋を完了する。
【００６１】
他方、Ｘ方向については、３層柱ユニット１の組に対して、柱建て込み位置（Ｘ２）では、第３階層柱梁仕口部３ｃ位置に、２連ＰＣａ梁ユニット３０の通し梁主筋３３が配筋されるとともに、柱主筋９にフープ筋２３を装着し、これにより、梁主筋３３を含めて、第３階層柱梁仕口部３ｃ位置に対する配筋を完了する。柱建て込み位置（Ｘ１）では、柱建て込み位置（Ｙ１）と同様に、第１階層柱梁仕口部３ａの貫通梁主筋７に、２連ＰＣａ梁ユニット３０の短尺ＰＣａ梁部３１の通し梁主筋３３が接合される。さらに、柱建て込み位置（Ｘ３）では、第２階層柱梁仕口部３ｂ位置に、２連ＰＣａ梁ユニット３０の長尺ＰＣａ梁部３２の通し梁主筋３３が配筋されるとともに、柱主筋１９に保持させておいたフープ筋１６が配筋される。これにより、２連ＰＣａ梁ユニット３０が接合される各柱梁仕口部３ａ〜３ｃ位置の配筋が完了する。
【００６２】
図１１には、現場打ちコンクリートにより、柱を構築しかつ柱と梁とを接合するステップが示されている。柱建て込み位置（Ｙ１）では、第１階層柱梁仕口部３ａの側方で、梁主筋７，１８同士の接合部を覆って型枠２１を設け、当該型枠２１内部に現場打ちコンクリートを打設して、短尺ＰＣａ梁部材４を３層柱ユニット１の第１階層柱梁仕口部３ａに接合する。また、２層用外殻ＰＣａ柱部材６内部にも現場打ちコンクリートを打設する。
【００６３】
柱建て込み位置（Ｙ２）では、第２階層柱梁仕口部３ｂ位置を取り囲んで型枠２２を設け、当該型枠２２内部に現場打ちコンクリートを打設して、第２階層柱梁仕口部３ｂを構築しつつこれに短尺ＰＣａ梁部材４および長尺ＰＣａ梁部材５を接合する。２層用外殻ＰＣａ柱部材６内部へのコンクリート打設については、第１階層柱梁仕口部（（ｎ）階床面位置）３ａを施工する段階では若干打ち残しをしておき、この第２階層柱梁仕口部３ｂ位置へのコンクリート打設に先立って、あるいはこれと同時に、２層用外殻ＰＣａ柱部材６内部に現場打ちコンクリートを打設してその施工を完了するようにしてもよい。
【００６４】
柱建て込み位置（Ｙ３）では、第３階層柱梁仕口部３ｃ位置を取り囲んで型枠２２を設け、当該型枠２２内部に現場打ちコンクリートを打設して、第３階層柱梁仕口部３ｃを構築しつつこれに長尺ＰＣａ梁部材５やこれに隣接して建て込まれるＰＣａ梁部材等を接合する。この第３階層柱梁仕口部３ｃ位置へのコンクリート打設に先立って、あるいはこれと同時に、１層用外殻ＰＣａ柱部材２内部に現場打ちコンクリートを打設する。
【００６５】
他方、Ｘ方向については、３層柱ユニット１の組に対して、柱建て込み位置（Ｘ２）では、第３階層柱梁仕口部３ｃ位置を取り囲んで型枠２２を設け、当該型枠２２内部に現場打ちコンクリートを打設して、第３階層柱梁仕口部３ｃを構築しつつこれに２連ＰＣａ梁ユニット３０を接合する。柱建て込み位置（Ｘ１）では、柱建て込み位置（Ｙ１）と同様に、貫通梁主筋７と通し梁主筋３３同士の接合部を覆って型枠２１を設け、当該型枠２１内部に現場打ちコンクリートを打設して、２連ＰＣａ梁ユニット３０の短尺ＰＣａ梁部３１を第１階層柱梁仕口部３ａに接合する。
【００６６】
さらに、柱建て込み位置（Ｘ３）では、柱建て込み位置（Ｙ２）と同様に、第２階層柱梁仕口部３ｂ位置を取り囲んで型枠２２を設け、当該型枠２２内部に現場打ちコンクリートを打設して、第２階層柱梁仕口部３ｂを構築しつつこれに２連ＰＣａ梁ユニット３０の長尺ＰＣａ梁部３２を接合する。また、適宜段階で、１層用外殻ＰＣａ柱部材２内部および２層用外殻ＰＣａ柱部材６内部それぞれに現場打ちコンクリートを打設する。
【００６７】
さらに、ハーフプレキャスト製の２連ＰＣａ梁ユニット３０やＰＣａ梁部材４，５の上部から床面にわたってスラブコンクリートを打設して、（ｎ＋１）階の床構築作業を行うようにしてもよい。この際、２層用外殻ＰＣａ柱部材６や１層用外殻ＰＣａ柱部材２の内部に打設するコンクリートと、梁主筋７，１７，１８，３３の接合部周りや、２連ＰＣａ梁ユニット３０およびＰＣａ梁部材４，５の上部、さらに床に打設するコンクリートとを打ち分けるようにしてもよい。第２および第３階層柱梁仕口部３ｂ，３ｃ位置に打設されるコンクリートは、柱と梁でコンクリートを打ち分ける場合には、柱用のコンクリートが打設される。
【００６８】
以上により、施工階である（ｎ）階の柱・梁架構の構築が完了する。そして上記手順を繰り返すことで、３階層分を一単位としてＲＣ造柱・梁架構が上方へ向かって順次構築されていく。
【００６９】
以上説明した本実施形態にかかるＲＣ造柱・梁架構およびその構築方法にあっては、貫通梁主筋７が配筋された第１階層柱梁仕口部３ａを含む２層用外殻ＰＣａ柱部材６および３階層にわたる柱主筋９とから構成される３層柱ユニット１と、当該柱主筋９に挿通される１層用外殻ＰＣａ柱部材２とを交互に設けて柱を構築するようにしたので、建物の３階層分を一単位として施工することができ、これにより柱主筋９の継ぎ手を減らすことができるとともに、少なくとも一つの柱梁仕口部３ａが２層用外殻ＰＣａ柱部材６に予め組み込まれていて、柱梁仕口部３ａ〜３ｃに対する現場での配筋作業量を削減でき、現場施工による柱の構築作業量を軽減できるとともに、作業時間を短縮化できて、施工の合理化・省力化を達成することができる。
【００７０】
そして本実施形態にかかるＲＣ造柱・梁架構の構築方法は、これら３層柱ユニット１、１層用外殻ＰＣａ柱部材２、２連ＰＣａ梁ユニット３０およびＰＣａ梁部材４，５によって構成されるＲＣ造柱・梁架構を効率よく構築することができる。
【００７１】
また、第３階層柱梁仕口部３ｃを貫通する通し梁主筋３３を備えかつ一対のＰＣａ梁部３１，３２を連結して構成した２連ＰＣａ梁ユニット３０を用いるようにしたので、当該２連ＰＣａ梁ユニット３０を、第３階層柱梁仕口部３ｃを中心として第１および第２階層柱梁仕口部３ａ，３ｂにわたって建て込んで、これら３つの柱梁仕口部３ａ〜３ｃにわたって一挙に梁を構築することができ、施工工数を削減できるとともに、作業時間の短縮化を達成することができる。
【００７２】
また、３層柱ユニット１の第１階層柱梁仕口部３ａに貫通梁主筋７を設けて、３層柱ユニット１の側方で貫通梁主筋７とＰＣａ梁部材４の梁主筋１８とを接合するとともに、当該第１階層柱梁仕口部３ａに短尺ＰＣａ梁部材４を用いるようにしたので、第１階層柱梁仕口部３ａでは、錯綜する配筋作業を避けることができるとともに、短尺ＰＣａ梁部材４は軽量であることから揚重作業の利便性も図ることができ、第１階層柱梁仕口部３ａの構築に要する作業量を軽減できるとともに、作業時間を短縮化することができる。
【００７３】
２連ＰＣａ梁ユニット３０は、柱梁仕口部にこれを貫通して配筋される通し梁主筋３３と、通し梁主筋３３により互いに連結される一対のＰＣａ梁部３１，３２とを備え、一方のＰＣａ梁部３１は、隣接する柱の柱梁仕口部にこれを貫通して配筋されて外方に突出される梁主筋と接合するために、短尺に形成され、他方のＰＣａ梁部３２は、隣接する他の柱梁仕口部との間に架設するために、長尺に形成されて、３つの柱梁仕口部にわたって梁を構築するので、それ自体に関して、３つの柱にわたって一挙に梁を構築でき、また通し梁主筋３３を備えたことにより、柱梁仕口部に対する配筋作業を軽減でき、さらに短尺なＰＣａ梁部３１により、全体重量の軽量化と柱間への吊り込みの容易化とを確保できて、梁の構築作業を効率化することができる。具体的には、予め設けた通し梁主筋３３により、第３階層柱梁仕口部３ｃ位置に対する現場配筋量を低減できる。また、２連ＰＣａ梁ユニット３０は大重量の部材となるが、一方のＰＣａ梁部３１を、貫通梁主筋７が突出する第１階層柱梁仕口部３ａに接合するようにして短尺化したので、小さな揚重能力でかつ容易な作業で手際よく建て込むことが可能となる。
【００７４】
また、３層柱ユニット１の柱主筋９を、２層用外殻ＰＣａ柱部材６内にその高さ方向に沿って移動自在に設け、３層柱ユニット１の建て込みに際しては、柱建て込み位置に突設される柱主筋８との接合のために２層用外殻ＰＣａ柱部材６下方へ突出させるようにしたので、柱主筋８，９を接合する作業を容易に行うことができる。
【００７５】
また、第２階層柱梁仕口部３ｂや第３階層柱梁仕口部３ｃに接合される梁部材として、１層用および２層用外殻ＰＣａ柱部材２，６上にそれらの端部が載置される長尺ＰＣａ梁部材５や２連ＰＣａ梁ユニット３０の長尺なＰＣａ梁部３２を適用し、これら第２階層柱梁仕口部３ｂや第３階層柱梁仕口部３ｃ位置には当該柱梁仕口部３ｂ，３ｃを取り囲む型枠２２を設置して、それらの内部に現場打ちコンクリートを打設することでこれらの柱梁仕口部３ｂ，３ｃを構築するようにして、柱に沿って打設されるコンクリートと、梁に沿って現場打ちされるスラブコンクリートなどのコンクリートとを打ち分けるようにしたので、高価である一方高い強度を有する高強度コンクリートなどのコンクリートを柱のみに打設し、梁や床には、必要強度に応じた比較的低廉なコンクリートを打設することができて、健全性の高い柱・梁架構を備える建物を低コストで構築することができる。
【００７６】
特に、３層柱ユニット１の２層用外殻ＰＣａ柱部材６では、第１階層柱梁仕口部３ａには貫通梁主筋７を挿通する貫通孔１２が形成されているのみであり、型枠を使用することなく、当該２層用外殻ＰＣａ柱部材６自体によって、コンクリートの打ち分けをすることができる。
【００７７】
さらに、柱主筋９に予め、当該柱主筋９の長さ方向、具体的には第２階層柱梁仕口部３ｂに配筋されるフープ筋１６を適宜位置にまとめて保持させるようにしたので、現場での第２柱梁仕口部３ｂ位置に対する配筋作業を軽減できるとともに、作業時間を短縮化することができる。
【００７８】
また、ＰＣａ梁部材４，５や２連ＰＣａ梁ユニット３０としては、フルプレキャスト製でなく、軽量で比較的安価なハーフプレキャスト製のものを用いることで、作業性良好かつ安価にＲＣ造柱・梁架構を構築することができる。
【図面の簡単な説明】
【００７９】
【図１】本発明にかかるＲＣ造柱・梁架構の好適な一実施形態を説明するための、当該柱・梁架構を正面または側面から見た説明図である。
【図２】図１に示したＲＣ造柱・梁架構に用いられる３層柱ユニットの建て込み状態を示す説明図である。
【図３】図２に示した３層柱ユニットに適用される２層用外殻ＰＣａ柱部材の第１階層柱梁仕口部の平面断面図である。
【図４】図２に示した３層柱ユニットに適用される２層用外殻ＰＣａ柱部材の柱部の平面断面図である。
【図５】図１に示したＲＣ造柱・梁架構の（ｎ）階における第１〜第３階層の配置を示す平面図である。
【図６】図１に示したＲＣ造柱・梁架構の（ｎ＋１）階における第１〜第３階層の配置を示す平面図である。
【図７】図１に示したＲＣ造柱・梁架構の（ｎ＋２）階における第１〜第３階層の配置を示す平面図である。
【図８】本発明にかかるＲＣ造柱・梁架構の構築方法の好適な一実施形態の手順のうち、ＲＣ造柱・梁架構の同一施工階におけるＹ方向での第１手順を説明する説明図である。
【図９】本発明にかかるＲＣ造柱・梁架構の構築方法の好適な一実施形態の手順のうち、ＲＣ造柱・梁架構の同一施工階におけるＹ方向での第２手順を説明する説明図である。
【図１０】本発明にかかるＲＣ造柱・梁架構の構築方法の好適な一実施形態の手順のうち、ＲＣ造柱・梁架構の同一施工階におけるＹ方向での第３手順を説明する説明図である。
【図１１】本発明にかかるＲＣ造柱・梁架構の構築方法の好適な一実施形態の手順のうち、ＲＣ造柱・梁架構の同一施工階におけるＹ方向での第４手順を説明する説明図である。
【図１２】本発明に適用される２連ＰＣａ梁ユニットの好適な一実施形態の側面視を示すとともに、本発明にかかるＲＣ造柱・梁架構の構築方法の好適な一実施形態の手順のうち、ＲＣ造柱・梁架構の同一施工階におけるＸ方向での施工状態を説明する説明図である。
【符号の説明】
【００８０】
１  ３層柱ユニット
２  １層用外殻ＰＣａ柱部材
３ａ〜３ｃ  柱梁仕口部
４，５  ＰＣａ梁部材
６  ２層用外殻ＰＣａ柱部材
７  貫通梁主筋
８  既設の柱主筋
９  柱主筋
１６  フープ筋
１７，１８  梁主筋
３０  ２連ＰＣａ梁ユニット
３１，３２  ＰＣａ梁部
３３  通し梁主筋
【図１】
0004684811.tif 000002
【図２】
0004684811.tif 000003
【図３】
0004684811.tif 000004
【図４】
0004684811.tif 000005
【図５】
0004684811.tif 000006
【図６】
0004684811.tif 000007
【図７】
0004684811.tif 000008
【図８】
0004684811.tif 000009
【図９】
0004684811.tif 000010
【図１０】
0004684811.tif 000011
【図１１】
0004684811.tif 000012
【図１２】
0004684811.tif 000013